(57)【特許請求の範囲】
【請求項１】
光ビームを放射する光源と、
前記光源からの光ビームが被測定物方向に反射するように個別に傾く複数のマイクロミラーをマトリクス状に配列した測定点選択手段と、
前記測定点選択手段の前記被測定物側の近傍に配設され、前記測定点選択手段により被測定物方向に反射された光ビームに含まれる高次回折光を処理する高次回折光処理手段と、
前記測定点選択手段で反射された光ビームを被測定物上に集光する対物レンズと、
前記測定点選択手段の複数のマイクロミラーのうち選択されたマイクロミラーで反射されて前記被測定物上に指定された測定点に集光し、そこで反射されて戻る光ビームを前記選択されたマイクロミラーを介して検出する光検出手段と、
前記被測定物を前記対物レンズに対して相対的にその光軸方向に変位させると共にその変位量を検出して出力する変位手段と、
前記測定点選択手段の各マイクロミラーを駆動制御し、前記変位手段の変位を制御すると共に、前記光検出手段で検出された光の輝度及び前記変位手段より入力した変位量のデータから最大輝度値を示す変位量を被測定物の前記測定点の高さとして求める制御手段と、
を備えたことを特徴とする微小高さ測定装置。
【請求項２】
光ビームを放射する光源と、該光源からの光ビームが前記被測定物方向に反射するように個別に傾く複数のマイクロミラーをマトリクス状に配列した測定点選択手段と、前記測定点選択手段の前記被測定物側の近傍に配設され、前記測定点選択手段により被測定物方向に反射された光ビームに含まれる高次回折光を処理する高次回折光処理手段と、前記測定点選択手段の複数のマイクロミラーのうち選択されたマイクロミラーで反射されて前記被測定物上に指定された測定点に照射し、そこで反射されて戻る光ビームを前記選択されたマイクロミラーを介して検出する光検出手段と、前記測定点選択手段を前記高次回折光処理手段と一体的に前記被測定物の法線方向に変位させる変位手段と、該変位手段の変位を制御すると共に前記測定点選択手段の変位量及び前記光検出手段で検出された光の輝度データを互いに関連づけて出力する変位計制御回路とを有する変位計ユニットと、
前記変位計ユニットの測定点選択手段で反射された光ビームを前記被測定物上に集光する対物レンズと、
前記変位計ユニットの測定点選択手段の各マイクロミラーを駆動制御すると共に、前記変位計ユニットから出力された変位量及び光の輝度データから最大輝度値を示す変位量を被測定物の前記測定点の高さとして求める制御手段と、
を備えたことを特徴とする微小高さ測定装置。
【請求項３】
光ビームを放射する光源と、
前記光源からの光ビームが被測定物方向に反射するように個別に傾く複数のマイクロミラーをマトリクス状に配列した測定点選択手段と、
前記測定点選択手段により被測定物方向に反射された光ビームに含まれる高次回折光を処理する高次回折光処理手段と、
前記測定点選択手段で反射された光ビームを被測定物上に集光する対物レンズと、
前記測定点選択手段の複数のマイクロミラーのうち選択されたマイクロミラーで反射されて前記被測定物上に指定された測定点に集光し、そこで反射されて戻る光ビームを前記選択されたマイクロミラーを介して検出する光検出手段と、
前記高次回折光処理手段を前記対物レンズの光軸方向に変位させると共にその変位量を検出して出力する変位手段と、
前記測定点選択手段の各マイクロミラーを駆動制御し、前記変位手段の変位を制御すると共に、前記光検出手段で検出された光の輝度及び前記変位手段より入力した変位量のデータから最大輝度値を示す変位量を被測定物の前記測定点の高さとして求める制御手段と、
を備えたことを特徴とする微小高さ測定装置。
【請求項４】
光ビームを放射する光源と、
前記光源からの光ビームが被測定物方向に反射するように個別に傾く複数のマイクロミラーをマトリクス状に配列した測定点選択手段と、
前記測定点選択手段の前記被測定物側の近傍に配設され、前記測定点選択手段により被測定物方向に反射された光ビームに含まれる高次回折光を処理する高次回折光処理手段と、
前記測定点選択手段で反射された光ビームを被測定物上に集光する対物レンズと、
前記対物レンズによって被測定物上に集光した光ビームの輝点の像を前記測定点選択手段のマイクロミラー上又は測定点選択手段の被測定物側の所定位置に結像させる結像レンズと、
前記測定点選択手段の複数のマイクロミラーのうち選択されたマイクロミラーで反射されて前記被測定物上に指定された測定点に集光し、そこで反射されて戻る光ビームを前記選択されたマイクロミラーを介して検出する光検出手段と、
前記結像レンズを前記対物レンズの光軸方向に変位させると共にその変位量を検出して出力する変位手段と、
前記測定点選択手段の各マイクロミラーを駆動制御し、前記変位手段の変位を制御すると共に、前記光検出手段で検出された光の輝度及び前記変位手段より入力した変位量のデータから最大輝度値を示す変位量を被測定物の前記測定点の高さとして求める制御手段と、
を備えたことを特徴とする微小高さ測定装置。
【請求項５】
前記高次回折光処理手段は、所定の開口を有する集光レンズであることを特徴とする請求項１〜４のいずれか１項に記載の微小高さ測定装置。
【請求項６】
前記光検出手段は、前記光源と前記測定点選択手段との間の光路上に配設されて、前記測定点選択手段からの光路を二つに分岐する光分岐手段により反射された光を受光することを特徴とする請求項１〜５のいずれか１項に記載の微小高さ測定装置。
【請求項７】
前記光検出手段は、光電子増倍管若しくは撮像素子であり、又はその両者を組み合わせてそれぞれ切り換えて光検出可能としたものであることを特徴とする請求項１〜６のいずれか１項に記載の微小高さ測定装置。
【請求項８】
前記光源は、波長の異なるレーザ光源を組み合わせてそれぞれ切り換えて光ビームを放射可能としたものであることを特徴とする請求項１〜７のいずれか１項に記載の微小高さ測定装置。
【請求項９】
光ビームを放射する光源と、
該光源からの光ビームが被測定物方向に反射するように個別に傾く複数のマイクロミラーをマトリクス状に配列した測定点選択手段と、
前記測定点選択手段の前記被測定物側の近傍に配設され、前記測定点選択手段により被測定物方向に反射された光ビームに含まれる高次回折光を処理する高次回折光処理手段と、
前記測定点選択手段の複数のマイクロミラーのうち選択されたマイクロミラーで反射されて前記被測定物上に指定された測定点に照射し、そこで反射されて戻る光ビームを前記選択されたマイクロミラーを介して検出する光検出手段と、
前記測定点選択手段を前記高次回折光処理手段と一体的に前記被測定物の法線方向に変位させる変位手段と、
該変位手段の変位を制御すると共に、前記測定点選択手段の変位量及び前記光検出手段で検出された光の輝度データを互いに関連づけて出力する変位計制御回路と、
を備えたことを特徴とする変位計ユニット。
【請求項１０】
前記高次回折光処理手段は、所定の開口を有する集光レンズであることを特徴とする請求項９記載の変位計ユニット。
【請求項１１】
前記光検出手段は、前記光源と前記測定点選択手段との間の光路上に配設されて、前記測定点選択手段からの光路を二つに分岐する光分岐手段により反射された光を受光することを特徴とする請求項９又は１０記載の変位計ユニット。
【請求項１２】
前記光検出手段は、光電子増倍管若しくは撮像素子であり、又はその両者を組み合わせてそれぞれ切り換えて光検出可能としたものであることを特徴とする請求項９〜１１のいずれか１項に記載の変位計ユニット。
【請求項１３】
前記光源は、波長の異なるレーザ光源を組み合わせてそれぞれ切り換えて光ビームを放射可能としたものであることを特徴とする請求項９〜１２のいずれか１項に記載の変位計ユニット。
【発明の詳細な説明】
【技術分野】
【０００１】
本発明は、被測定物の微小高さを測定する微小高さ測定装置に関し、詳しくは、被測定物上に測定点を指定してその測定点の高さを高速で測定しようとする微小高さ測定装置及び変位計ユニットに係るものである。
【背景技術】
【０００２】
従来のこの種の微小高さ測定装置は、光源であるレーザ発振器と、被測定物をレーザビームで走査するためのレーザビーム偏向部と、走査されるレーザビームを被測定物に集光する対物レンズと、被測定物からの反射光を二つの光路に分岐する光学系と、分岐された各々の光路における反射光の結像位置付近に配置した光学的に大きさの異なる二つの開口と、各開口を通過した反射光をそれぞれ検出する光検出器と、この光検出器の出力信号から被測定物の高さを算出する処理部とを備え、小さな開口を配置した光路から得られた反射光の高さに依存する測定値を、大きな開口を配置した光路から得られた反射光の絶対量値で除算して被測定物の高さを求め、これを予め計算・記憶しておいた高さ換算表と照らし合わせることにより、計算結果に応じた高さを得るようになっている（特許文献１参照）。
【０００３】
しかし、上記微小高さ測定装置は、レーザビームをガルバノミラー等を用いて走査するため、走査スピードに限界があり、また走査ビームの揺らぎ現象の問題があった。
【０００４】
そこで、このような問題に対処するために、他の装置は、多数のマイクロレンズをアレイ状に配列したマイクロレンズディスクと、該マイクロレンズディスクと同一の回転軸により一体的に回転するようにされ、上記マイクロレンズディスクの各マイクロレンズの焦点位置にピンホールを形成したピンホールディスクと、上記マイクロレンズディスクのマイクロレンズ及びピンホールディスクのピンホールを通過した光ビームを被測定物上に集光させる対物レンズと、該対物レンズの焦点位置と光学的に共役の関係に配置され被測定物からの反射・散乱光を検出する光検出器と、上記マイクロレンズディスクとピンホールディスクとの間に配設され被測定物からの反射・散乱光を上記光検出器側に反射する光分岐手段と、該反射光を上記光検出器の検出面上に集光するリレーレンズとを備えている（特許文献２参照）。
【０００５】
上記他の装置は、このような構成により、レーザビームをマイクロレンズディスクに配置された各マイクロレンズにより個別の光束として集光し、光分岐手段を透過後、ピンホールディスクに設けられた個々のピンホールを通過させ、対物レンズにより被測定物上に集光させる。そして、被測定物から発生した反射・散乱光を再び対物レンズによりピンホールディスクの個々のピンホール上に集光させ、個々のピンホールを通過後、上記光分岐手段により反射してリレーレンズにより光検出手段上に集光させる。これにより、マイクロレンズディスクとピンホールディスクとを一体的に回転してレーザビームを観察領域全体に高速走査することができる。
【特許文献１】特開平０７−１２８０２５号公報
【特許文献２】特開２００４−３４０６６３号公報
【発明の開示】
【発明が解決しようとする課題】
【０００６】
しかし、このような従来の微小高さ測定装置においては、いずれも光ビームの走査を機械的に行うものであったので、光ビームの走査速度には限界があり、高速測定が困難であった。また、観察領域全体をレーザビームで走査して被測定物の高さを測定するものであったので、被測定物上に測定点を指定して測定することができず、測定点の高さを高速度で測定することができなかった。
【０００７】
そこで、本発明は、このような問題点に対処し、被測定物上に測定点を指定してその測定点の高さを高速で測定しようとする微小高さ測定装置及び変位計ユニットを提供することを目的とする。
【課題を解決するための手段】
【０００８】
上記目的を達成するために、第１の発明による微小高さ測定装置は、光ビームを放射する光源と、前記光源からの光ビームが被測定物方向に反射するように個別に傾く複数のマイクロミラーをマトリクス状に配列した測定点選択手段と、前記測定点選択手段の前記被測定物側の近傍に配設され、前記測定点選択手段により被測定物方向に反射された光ビームに含まれる高次回折光を処理する高次回折光処理手段と、前記測定点選択手段で反射された光ビームを被測定物上に集光する対物レンズと、前記測定点選択手段の複数のマイクロミラーのうち選択されたマイクロミラーで反射されて前記被測定物上に指定された測定点に集光し、そこで反射されて戻る光ビームを前記選択されたマイクロミラーを介して検出する光検出手段と、前記被測定物を前記対物レンズに対して相対的にその光軸方向に変位させると共にその変位量を検出して出力する変位手段と、前記測定点選択手段の各マイクロミラーを駆動制御し、前記変位手段の変位を制御すると共に、前記光検出手段で検出された光の輝度及び前記変位手段より入力した変位量のデータから最大輝度値を示す変位量を被測定物の前記測定点の高さとして求める制御手段と、を備えたものである。
【０００９】
このような構成により、光源から光ビームを放射し、制御手段で測定点選択手段のマトリクス状に配列された複数のマイクロミラーを個別に駆動制御し、選択されたマイクロミラーを上記光源からの光ビームを被測定物方向に反射するように傾け、測定点選択手段の被測定物側の近傍に配設された高次回折光処理手段で測定点選択手段により被測定物方向に反射された光ビームに含まれる高次回折光を処理し、対物レンズにより上記選択されたマイクロミラーで反射された光ビームを被測定物上に指定された測定点に集光し、そこで反射されて戻る光ビームを光検出手段で上記選択されたマイクロミラーを介して検出し、制御手段で変位手段の変位を制御し、変位手段で被測定物を上記対物レンズに対して相対的にその光軸方向に変位させてその変位量を検出して出力し、制御手段により上記光検出手段で検出された光の輝度及び上記変位手段より入力した変位量のデータから最大輝度値を示す変位量を被測定物の上記測定点の高さとして求める。
【００１０】
また、第２の発明による微小高さ測定装置は、光ビームを放射する光源と、該光源からの光ビームが前記被測定物方向に反射するように個別に傾く複数のマイクロミラーをマトリクス状に配列した測定点選択手段と、前記測定点選択手段の前記被測定物側の近傍に配設され、前記測定点選択手段により被測定物方向に反射された光ビームに含まれる高次回折光を処理する高次回折光処理手段と、前記測定点選択手段の複数のマイクロミラーのうち選択されたマイクロミラーで反射されて前記被測定物上に指定された測定点に照射し、そこで反射されて戻る光ビームを前記選択されたマイクロミラーを介して検出する光検出手段と、前記測定点選択手段を前記高次回折光処理手段と一体的に前記被測定物の法線方向に変位させる変位手段と、該変位手段の変位を制御すると共に前記測定点選択手段の変位量及び前記光検出手段で検出された光の輝度データを互いに関連付けて出力する変位計制御回路とを有する変位計ユニットと、前記変位計ユニットの測定点選択手段で反射され光ビームを前記被測定物上に集光する対物レンズと、前記変位計ユニットの測定点選択手段の各マイクロミラーを駆動制御すると共に、前記変位計ユニットから出力された変位量及び光の輝度データから最大輝度値を示す変位量を被測定物の前記測定点の高さとして求める制御手段と、を備えたものである。
【００１１】
このような構成により、変位計ユニットの光源で光ビームを放射し、制御手段で測定点選択手段のマトリクス状に配列された複数のマイクロミラーを個別に駆動制御し、選択されたマイクロミラーを上記光源からの光ビームを被測定物方向に反射するように傾け、測定点選択手段の被測定物側の近傍に配設された高次回折光処理手段で測定点選択手段により被測定物方向に反射された光ビームに含まれる高次回折光を処理し、上記対物レンズで上記選択されたマイクロミラーにより反射された光ビームを被測定物上に指定された測定点に集光し、変位計制御回路で変位手段の変位を制御し、該変位手段で上記測定点選択手段を高次回折光処理手段と一体的に被測定物の法線方向に変位させ、光検出手段で上記測定点で反射されて戻る光ビームを上記選択されたマイクロミラーを介して検出し、変位計制御回路で上記測定点選択手段の変位量及び上記光検出手段により検出された光の輝度データを互いに関連付けて出力し、制御手段で該データに基づいて最大輝度値を示す変位量を被測定物の上記測定点の高さとして求める。
【００１２】
また、第３の発明による微小高さ測定装置は、光ビームを放射する光源と、前記光源からの光ビームが被測定物方向に反射するように個別に傾く複数のマイクロミラーをマトリクス状に配列した測定点選択手段と、前記測定点選択手段により被測定物方向に反射された光ビームに含まれる高次回折光を処理する高次回折光処理手段と、前記測定点選択手段で反射された光ビームを被測定物上に集光する対物レンズと、前記測定点選択手段の複数のマイクロミラーのうち選択されたマイクロミラーで反射されて前記被測定物上に指定された測定点に集光し、そこで反射されて戻る光ビームを前記選択されたマイクロミラーを介して検出する光検出手段と、前記高次回折光処理手段を前記対物レンズの光軸方向に変位させると共にその変位量を検出して出力する変位手段と、前記測定点選択手段の各マイクロミラーを駆動制御し、前記変位手段の変位を制御すると共に、前記光検出手段で検出された光の輝度及び前記変位手段より入力した変位量のデータから最大輝度値を示す変位量を被測定物の前記測定点の高さとして求める制御手段と、を備えたものである。
【００１３】
このような構成により、光源から光ビームを放射し、制御手段で測定点選択手段のマトリクス状に配列された複数のマイクロミラーを個別に駆動制御して、選択されたマイクロミラーを上記光源からの光ビームを被測定物方向に反射するように傾け、高次回折光処理手段で測定点選択手段により被測定物方向に反射された光ビームに含まれる高次回折光を処理し、対物レンズで上記選択されたマイクロミラーにより反射された光ビームを被測定物上に指定された測定点に集光し、そこで反射されて戻る光ビームを光検出手段で上記選択されたマイクロミラーを介して検出し、制御手段で変位手段の変位を制御し、変位手段で高次回折光処理手段を上記対物レンズの光軸方向に変位させてその変位量を検出して出力し、制御手段により上記光検出手段で検出された光の輝度及び上記変位手段より入力した変位量のデータから最大輝度値を示す変位量を被測定物の上記測定点の高さとして求める。
【００１４】
また、第４の発明よる微小高さ測定装置は、光ビームを放射する光源と、前記光源からの光ビームが被測定物方向に反射するように個別に傾く複数のマイクロミラーをマトリクス状に配列した測定点選択手段と、前記測定点選択手段の前記被測定物側の近傍に配設され、前記測定点選択手段により被測定物方向に反射された光ビームに含まれる高次回折光を処理する高次回折光処理手段と、前記測定点選択手段で反射された光ビームを被測定物上に集光する対物レンズと、前記対物レンズによって被測定物上に集光した光ビームの輝点の像を前記測定点選択手段のマイクロミラー上又は測定点選択手段の被測定物側の所定位置に結像させる結像レンズと、前記測定点選択手段の複数のマイクロミラーのうち選択されたマイクロミラーで反射されて前記被測定物上に指定された測定点に集光し、そこで反射されて戻る光ビームを前記選択されたマイクロミラーを介して検出する光検出手段と、前記結像レンズを前記対物レンズの光軸方向に変位させると共にその変位量を検出して出力する変位手段と、前記測定点選択手段の各マイクロミラーを駆動制御し、前記変位手段の変位を制御すると共に、前記光検出手段で検出された光の輝度及び前記変位手段より入力した変位量のデータから最大輝度値を示す変位量を被測定物の前記測定点の高さとして求める制御手段と、を備えたものである。
【００１５】
このような構成により、光源から光ビームを放射し、制御手段で測定点選択手段のマトリクス状に配列された複数のマイクロミラーを個別に駆動制御し、選択されたマイクロミラーを上記光源からの光ビームを被測定物方向に反射するように傾け、測定点選択手段の被測定物側の近傍に配設された高次回折光処理手段で測定点選択手段により被測定物方向に反射された光ビームに含まれる高次回折光を処理し、対物レンズにより上記選択されたマイクロミラーで反射された光ビームを被測定物上に指定された測定点に集光し、結像レンズで被測定物上の測定点に集光した光ビームの輝点の像を測定点選択手段のマイクロミラー上又は測定点選択手段の被測定物側の所定位置に結像させ、さらにその光ビームを光検出手段で上記選択されたマイクロミラーを介して検出し、制御手段で変位手段の変位を制御し、変位手段で上記結像レンズを対物レンズの光軸方向に変位させてその変位量を検出して出力し、制御手段により上記光検出手段で検出された光の輝度及び上記変位手段より入力した変位量のデータから最大輝度値を示す変位量を被測定物の上記測定点の高さとして求める。
【００１６】
さらに、前記高次回折光処理手段は、所定の開口を有する集光レンズである。これにより、所定の開口を有する集光レンズで測定点選択手段により被測定物方向に反射された光ビームに含まれる高次回折光を除去する。
【００１７】
また、前記光検出手段は、前記光源と前記測定点選択手段との間の光路上に配設されて、前記測定点選択手段からの光路を二つに分岐する光分岐手段により反射された光を受光するものである。これにより、光源と測定点選択手段との間の光路上に配設されて、測定点選択手段からの光路を二つに分岐する光分岐手段で測定点選択手段からの光を反射し、それを光検出手段で受光する。
【００１８】
さらに、前記光検出手段は、光電子増倍管若しくは撮像素子であり、又はその両者を組み合わせてそれぞれ切り換えて光検出可能としたものである。これにより、光電子増倍管若しくは撮像素子で被測定物からの反射光を検出し、又はその両者を組み合わせたものでそれぞれ切り換えて被測定物からの反射光を検出する。
【００１９】
そして、前記光源は、波長の異なるレーザ光源を組み合わせてそれぞれ切り換えて光ビームを放射可能としたものである。これにより、波長の異なるレーザ光源をそれぞれ切り換えて波長の異なる光ビームを放射する。
【００２０】
また、第５の発明による変位計ユニットは、光ビームを放射する光源と、該光源からの光ビームが被測定物方向に反射するように個別に傾く複数のマイクロミラーをマトリクス状に配列した測定点選択手段と、前記測定点選択手段の前記被測定物側の近傍に配設され、前記測定点選択手段により被測定物方向に反射された光ビームに含まれる高次回折光を処理する高次回折光処理手段と、前記測定点選択手段の複数のマイクロミラーのうち選択されたマイクロミラーで反射されて前記被測定物上に指定された測定点に照射し、そこで反射されて戻る光ビームを前記選択されたマイクロミラーを介して検出する光検出手段と、前記測定点選択手段を前記高次回折光処理手段と一体的に前記被測定物の法線方向に変位させる変位手段と、該変位手段の変位を制御すると共に、前記測定点選択手段の変位量及び前記光検出手段で検出された光の輝度データを互いに関連付けて出力する変位計制御回路と、を備えたものである。
【００２１】
このような構成により、光源で光ビームを放射し、測定点選択手段でマトリクス状に配列した複数のマイクロミラーのうち選択されたマイクロミラーを傾けて光源からの光ビームが被測定物方向に反射し、測定点選択手段の被測定物側の近傍に配設された高次回折光処理手段で測定点選択手段により被測定物方向に反射された光ビームに含まれる高次回折光を処理し、被測定物上に指定された測定点に照射し、そこで反射されて戻る光ビームを光検出手段で上記選択されたマイクロミラーを介して検出し、変位手段で測定点選択手段を高次回折光処理手段と一体的に被測定物の法線方向に変位させ、変位計制御回路で上記測定点選択手段の変位量及び前記光検出手段で検出された光の輝度データを互いに関連付けて出力する。
【００２２】
さらに、前記高次回折光処理手段は、所定の開口を有する集光レンズである。れにより、所定の開口を有する集光レンズで測定点選択手段により被測定物方向に反射された光ビームに含まれる高次回折光を集光し、該集光レンズの光軸上に再結像させる。
【００２３】
また、前記光検出手段は、前記光源と前記測定点選択手段との間の光路上に配設されて、前記測定点選択手段からの光路を二つに分岐する光分岐手段により反射された光を受光するものである。これにより、光源と測定点選択手段との間の光路上に配設された光分岐手段で測定点選択手段からの光路を二つに分岐し、光検出手段で光分岐手段により反射された光を受光する。
【００２４】
さらに、前記光検出手段は、光電子増倍管若しくは撮像素子であり、又はその両者を組み合わせてそれぞれ切り換えて光検出可能としたものである。これにより、光電子増倍管若しくは撮像素子で被測定物からの反射光を検出し、又はその両者を組み合わせたものでそれぞれ切り換えて被測定物からの反射光を検出する。
【００２５】
そして、前記光源は、波長の異なるレーザ光源を組み合わせてそれぞれ切り換えて光ビームを放射可能としたものである。これにより、波長の異なるレーザ光源をそれぞれ切り換えて異なる波長の光ビームを放射する。
【００２６】
なお、上記高次回折光の「処理」とは、０次光と高次回折光とを分離し、高次回折光を除去する処理、又は高次回折光を集光して０次光と一体化させる処理をいい、以下同じである。
【発明の効果】
【００２７】
請求項１に係る発明によれば、被測定物上に測定点を指定してその測定点の高さを高速で測定することができる。したがって、例えば、液晶表示パネルのセルギャップ中の異物とその周辺の参照点を指定して、該参照点に対する異物の相対高さを高速で検査することができる。また、測定点選択手段で被測定物方向に反射された光ビームに含まれる高次回折光を処理しているので、微小高さの測定精度を向上することができる。
【００２８】
また、請求項２に係る発明によれば、被測定物上に測定点を指定してその測定点の高さを高速で測定することができる。さらに、対物レンズの光軸方向に被測定物を相対的に変位させる場合よりも測定点選択手段の変位量が対物レンズの倍率に応じて拡大されて、微小高さの測定精度を向上することができる。また、測定精度を上記被測定物を相対的に変位させる場合と同じにしたときには、測定点選択手段の変位量の測定をラフに行うことができる。したがって、この場合、変位量を測定するための例えばエンコーダやリニアスケール等の特別なセンサーを必要とせず、変位手段の駆動パルス数をカウントして変位量を測定することができ変位手段の構成が簡単となる。さらに、対物レンズの焦点を被測定物上に合わせた状態で各測定点における微小高さを測定することができるので、測定点を容易に指定することができる。そして、測定点選択手段で被測定物方向に反射された光ビームに含まれる高次回折光を処理しているので、微小高さの測定精度を向上することができる。
【００２９】
さらに、請求項３に係る発明によれば、被測定物上に測定点を指定してその測定点の高さを高速で測定することができる。したがって、例えば、液晶表示パネルのセルギャップ中の異物とその周辺の参照点を指定して、該参照点に対する異物の相対高さを高速で検査することができる。さらに、高次回折光処理手段を変位させるようにしているので、被測定物を対物レンズに対して相対的に変位させる場合よりもイナーシャが小さくなり変位速度を向上することができる。したがって、微小高さの測定をより高速に行なうことができる。
【００３０】
さらにまた、請求項４に係る発明によれば、被測定物上に測定点を指定してその測定点の高さを高速で測定することができる。したがって、例えば、液晶表示パネルのセルギャップ中の異物とその周辺の参照点を指定して、該参照点に対する異物の相対高さを高速で検査することができる。さらに、結像レンズを変位させるようにしているので、被測定物を対物レンズに対して相対的に変位させる場合よりもイナーシャが小さくなり変位速度を向上することができる。したがって、微小高さの測定をより高速に行なうことができる。
【００３１】
そして、請求項５又は１０に係る発明によれば、高次回折光も取り込んで１点に集光することができ、測定点上の輝点の輝度を向上することができる。従って、微小高さの測定精度をより向上することができる。
【００３２】
また、請求項６又は１１に係る発明によれば、光源から発射された光と干渉することなく測定点選択手段からの光を受光することができる。
【００３３】
さらに、請求項７又は１２に係る発明によれば、光電子増倍管を使用した場合には検出感度が高いため光検出精度が向上し、微小高さの測定精度を向上することができる。また、撮像素子を使用した場合には複数の測定点の高さ測定を同時に行うことができ、微小高さの測定をより高速で行うことができる。さらに、両者を組み合わせてそれぞれ切替可能とすれば、目的に応じて適宜切り換えて使用することができ、利便性が拡大する。
【００３４】
さらにまた、請求項８又は１３に係る発明によれば、複数の波長のレーザ光源を使用する場合には、被測定物の測定点の下地の色に応じてレーザ光源の波長を選択することができ、光検出をより高感度で行うことができる。
【００３５】
そして、請求項９に係る発明によれば、既存の顕微鏡に取り付けて微小高さ測定装置を容易に構成することができる。
【発明を実施するための最良の形態】
【００３６】
以下、本発明の実施形態を添付図面に基づいて詳細に説明する。図１は本発明による微小高さ測定装置の第１の実施形態を示す概念図である。この微小高さ測定装置は、被測定物１の微小高さを測定するもので、光源２と、測定点選択手段３と、高次回折光処理手段４と、対物レンズ５と、光検出手段６と、変位手段７と、制御手段８とからなり、例えば液晶表示パネルのセルギャップの検査を高速で行おうとするものである。
【００３７】
上記光源２は、所定波長の光ビームを放射するものであり、例えばレーザ発振器である。なお、光源２は、波長の異なる複数のレーザ光源を組み合わせて構成し、被測定物１の測定点の下地の色に応じてスイッチで切り換えて選択可能としてもよい。
【００３８】
上記光源２から放射される光ビームの放射方向前方には、測定点選択手段３が配置されている。この測定点選択手段３は、被測定物１上に指定された側定点に光ビームを照射するものであり、光源２からの光ビームが被測定物１方向に反射するように個別に傾く複数のマイクロミラー１０(1,1)〜１０(m,n)をマトリクス状に配列したものである。このマイクロミラー１０(1,1)〜１０(m,n)のサイズは、例えば16μm角程度に形成することが可能であり、該マイクロミラー１０(1,1)〜１０(m,n)でそれと略同サイズのスポット光を生成することができる。
【００３９】
上記測定点選択手段３の被測定物１側の近傍には、高次回折光処理手段４が配設されている。この高次回折光処理手段４は、測定点選択手段３のマイクロミラー１０(1,1)〜１０(m,n)により被測定物１方向に反射された光ビームに含まれる高次回折光を処理するものであり、測定点選択手段３の各マイクロミラー１０(1,1)〜１０(m,n)の像を後述の対物レンズ５の焦点と光学的に共役の関係をなす図１に破線で示す結像位置Ｆに結像する所定の開口を有する集光レンズであり、例えば複数のレンズを組み合わせたリレーレンズである。これにより、マイクロミラー１０(1,1)〜１０(m,n)により被測定物１方向に反射された光ビームに含まれる高次回折光は、光軸に沿って直進する０次光と共に集光レンズによって１点に集光される。従って、被測定物１上の測定点の輝度が向上して測定精度をより向上することができる。
【００４０】
上記被測定物１と対向して対物レンズ５が設けられている。この対物レンズ５は、上記測定点選択手段３で反射され、高次回折光の処理された光ビームを被測定物１上に集光するものである。
【００４１】
なお、上記対物レンズ５と高次回折光処理手段４との間には、結像レンズ９が対物レンズ５の光軸に一致させて設けられており、対物レンズ５の焦点位置の像を図１に破線で示す結像位置Ｆに結像するようになっている。そして、上記測定点選択手段３と、高次回折光処理手段４と、結像レンズ９と、対物レンズ５とは、図示省略の光学系機構内に組み込まれている。
【００４２】
上記光源２と測定点選択手段３との間には、光検出手段６が設けられている。この光検出手段６は、上記複数のマイクロミラー１０(1,1)〜１０(m,n)のうち選択されたマイクロミラーで反射されて上記被測定物１上に指定された測定点に集光し、そこで反射されて戻る光ビームを上記選択されたマイクロミラーを介して検出するものであり、光の強度を電気信号の振幅に光電変換する例えば光電子増倍管（Photo Multiplier Tube：PMT）である。そして、光検出手段６は、上記光源２と測定点選択手段３との間の光路上に配設されて、上記測定点選択手段３からの光路を二つに分岐する光分岐手段１１例えばハーフミラー等により反射された測定点選択手段３からの光を、光源２から発射される光ビームと干渉することなく受光できるようになっている。なお、上記光検出手段６は、光電変換機能を有するものであれば上記PMTに限られない。
【００４３】
上記光学系機構には、変位手段７が設けられている。この変位手段７は、光学系機構をその光軸方向に変位させるものであり、図示省略のモータと位置検出センサーとを備え、後述の制御手段８からの制御信号に基づいて上記モータを駆動して光学系機構をその光軸方向（図１において矢印Ａ，Ｂで示す方向）に変位させ、予め設定した基準位置からの変位量を上記位置検出センサーで検出してその検出信号を制御手段８に送るようになっている。
【００４４】
上記測定点選択手段３、光検出手段６及び変位手段７に接続して制御手段８が設けられている。この制御手段８は、図２に示すように、上記測定点選択手段３の複数のマイクロミラー１０(1,1)〜１０(m,n)のうちから選択されたマイクロミラーを駆動すると共に、上記光検出手段６で検出された光の輝度及び上記光学系機構の変位量のデータから最大輝度値を示す変位量を被測定物１の測定点における高さとして求めるものであり、制御及び処理部１２と、Ａ／Ｄ変換部１３と、メモリ１４と、ホームコンピュータ（以下、「制御用ＰＣ」と記載する）１５とを備えている。
【００４５】
上記制御及び処理部１２は、外部に接続して備えた制御用ＰＣ１５により、予め指定された各測定点に対応するマイクロミラー１０(1,1)〜１０(m,n)のアドレス情報を測定点選択手段３に送って、該アドレス情報により指定されたアドレスのマイクロミラー１０(1,1)〜１０(m,n)を選択して駆動する。また、上記制御用ＰＣ１５により予め設定されたサンプリング間隔及びサンプリング回数並びに変位速度に関する指令信号を変位手段７に送り、上記光学系機構を該指令信号で定められる最大変位量だけ所定の速度で変位させる。さらに、上記サンプリング間隔のタイミングで上記サンプリング回数だけＡ／Ｄ変換部１３を起動する変換タイミング信号を上記Ａ／Ｄ変換部１３に出力すると共に、上記Ａ／Ｄ変換部１３から上記タイミングで取得する輝度データと上記変位手段７から上記タイミングで入力する位置検出センサーの検出信号に基づいて生成される変位量データとを関連付けて上記メモリ１４に書き込む。そして、上記メモリ１４から読み出した各測定点の全ての輝度データとそれに関連付けられた変位量データとを制御用ＰＣ１５に出力する。
【００４６】
上記Ａ／Ｄ変換部１３は、上記光検出手段６から入力したアナログ信号をデジタルデータに変換するものであり、上記制御及び処理部１２から入力する変換タイミング信号に基づいて所定のタイミングでデジタル変換するようになっている。また、上記メモリ１４は、輝度データと変位量データとを関連付けて記憶するものであり、例えばＲＡＭである。そして、制御用ＰＣ１５は、オペレータが各測定点に対応するマイクロミラー１０(1,1)〜１０(m,n)のアドレス情報や、光学系機構の変位速度及びサンプリング間隔並びにサンプリング回数等の各種パラメータを入力することを可能とすると共に、制御及び処理部１２から互いに関連付けて出力された光の輝度及び変位量のデータから最大輝度値を示す変位量を各測定点における被測定物１の高さとして求めるものであり、その結果を表示部１５ａに表示させるようになっている。
【００４７】
次に、このように構成された微小高さ測定装置の動作及びそれを用いて行なう微小高さ測定について図３を参照して説明する。
先ず、ステップＳ１においては、制御手段８の制御及び処理部１２は、オペレータが予め入力して指定した各測定点に対応するマイクロミラー１０(1,1)〜１０(m,n)のアドレス情報や、光学系機構の変位速度及び変位量データを取得するためのサンプリング間隔並びにそのサンプリング回数等の各種パラメータを制御用ＰＣ１５から入力する。なお、上記各測定点の座標位置が予め測定されている場合には、そのデータを保存したファイルから制御用ＰＣ１５に取り込んで自動的に設定してもよい。
【００４８】
ステップＳ２においては、制御手段８の制御及び処理部１２は、上記入力した各種パラメータを処理して各マイクロミラー１０(1,1)〜１０(m,n)の駆動順番Ｋ＝１〜ｋを設定し、該設定された順番Ｋに従って駆動するマイクロミラー１０(1,1)〜１０(m,n)のアドレス情報を測定点選択手段３に順次送る。
【００４９】
ステップＳ３においては、上記測定点選択手段３は、先ずＫ＝１番に設定されたマイクロミラー１０(1,i)（図１参照）を駆動して光源２から発射された光ビームを被測定物１側に反射する。上記マイクロミラー１０(1,i)で反射された光ビームは、それに含まれる高次回折光が０次光と共に高次回折光処理手段４により取り込まれて結像位置Ｆの面内の１点に集光して一体化された後、結像レンズ９及び対物レンズ５を通って被測定物１上の選択された第１の測定点に集光する。なお、この場合、他のマイクロミラーで反射される光ビームは、被測定物１とは異なる方向に向くようにされているので、これらの光ビームが被測定物１に集光することはない。
【００５０】
上記被測定物１上の第１の測定点で反射した光ビームは、対物レンズ５及び結像レンズ９により一旦結像位置Ｆに集光した後、高次回折光処理手段４を通って上記マイクロミラー１０(1,i)に集光する。そして、上記光ビームは、該マイクロミラー１０(1,i)で光源２側に反射されて光分岐手段１１に入射し、該光分岐手段１１で光源２とは異なる方向に反射されて光検出手段６に入射する。
【００５１】
ステップＳ４においては、上記光検出手段６で受光した光強度のアナログ信号を制御手段８のＡ／Ｄ変換部１３でデジタルの輝度データに変換する。この場合、Ａ／Ｄ変換部１３では、上記制御用ＰＣ１５から入力した各種パラメータのうちサンプリング間隔及びサンプリング回数のデータに基づいて制御及び処理部１２で生成された変換タイミング信号により所定のタイミングで所定回数だけデジタル変換が行われる。
【００５２】
同時に、制御及び処理部１２は、制御用ＰＣ１５から入力したサンプリング間隔及びサンプリング回数並びに変位速度に関する指令信号を変位手段７に送り、変位手段７のモータを駆動して光学系機構を該指令信号で定められる変位量だけ所定の速度で図１に示す矢印Ａ又はＢ方向に変位させる。
【００５３】
ステップＳ５においては、制御及び処理部１２は、Ａ／Ｄ変換部１３から所定のタイミングでデジタル変換された輝度データを順次入力する。また、同時に、変位手段７の位置検出センサーから上記タイミングに同期して順次入力される検出信号に基づいて光学系機構の変位量データを生成する。
【００５４】
この場合、被測定物１の測定点の位置が対物レンズ５の焦点位置と一致しているときには、上記焦点位置から反射される光ビームは、図１に示す結像位置Ｆに集光した後、その略全てが高次回折光処理手段４の集光レンズによってマイクロミラー１０(1,i)の反射面に集光されて反射する。その結果、光検出手段６で検出される輝度値（光強度）は高くなる。一方、被測定物１の測定点の位置が上記対物レンズ５の焦点位置からずれているときには、測定点におけるビームスポットの結像位置は上記結像位置Ｆからずれる。したがって、マイクロミラー１０(1,i)上に結像されるビームスポットの像はボケて、マイクロミラー１０(1,i)のサイズよりも大きくなる。これにより、マイクロミラー１０(1,i)の反射面で反射される光量が減って光検出手段６で検出される輝度値（光強度）は低下する。この場合、測定点の上記対物レンズ５の焦点位置からのずれ量が大きくなるほど輝度値（光強度）はより低下する。
【００５５】
ステップＳ６においては、制御及び処理部１２は、各タイミング毎に得られた上記輝度データと変位量データとを第１の測定点の情報として互に関連付けてメモリ１４に書き込む。
【００５６】
ステップＳ７においては、Ｋ＝ｋか否かを制御及び処理部１２で判定する。ここで、“ＮＯ”判定となるとステップＳ３に戻ってＫ＝２番に設定された例えばマイクロミラー１０(1,i+1)の駆動に切り換え、上記ステップＳ４〜Ｓ６を実行する。そして、被測定物１の第２の測定点における輝度データと変位量データとを得て、それらを互いに関連付けてメモリ１４に書き込む。
【００５７】
一方、ステップＳ７において、“ＹＥＳ”判定となると全ての測定点に対する測定データの取り込みが終了し、ステップＳ８に進んで制御及び処理部１２は、メモリ１４から各測定点の輝度データと変位量データとを順次読み出す。そして、この各データに基づいて制御用ＰＣは、各測定点における輝度値が最大となる変位量を被測定物１上の各測定点の高さとして定め、その結果を表示部１５ａに表示する。
【００５８】
なお、上記実施形態においては、光学系機構を変位させる場合について説明したが、これに限られず、被測定物１側を対物レンズ５の光軸方向に変位させてもよい。又は、被測定物１と対物レンズ５との間の距離は一定に保って、結像レンズ９を変位させてもよい。この場合も、上述と同様に光検出手段６による検出輝度と結像レンズ９の変位量の関係から、最大輝度値を示す結像レンズ９の変位量を測定点の微小高さとして求めることができる。
【００５９】
図４は、本発明による微小高さ測定装置の第２の実施形態を示す正面図である。この微小高さ測定装置は、被測定物１と対向して配設された対物レンズ５と、該対物レンズ５に対して上記被測定物１と反対側に配設された変位計ユニット１７と、装置全体を制御する制御手段１８と、を備えたものである。
【００６０】
ここで、上記対物レンズ５は、光ビームを被測定物１上に集光するものである。また、上記変形ユニット１７は、図５に示すように光ビームを放射する光源２と、該光源２からの光ビームが被測定物１方向に反射するように個別に傾く複数のマイクロミラーをマトリクス状に配列した測定点選択手段３と、該記測定点選択手段３の被測定物１側の近傍に配設され、測定点選択手段３により被測定物１方向に反射された光ビームに含まれる高次回折光を処理する高次回折光処理手段４と、上記測定点選択手段３の複数のマイクロミラーのうち選択されたマイクロミラーで反射されて被測定物１上に指定された測定点に照射し、そこで反射されて戻る光ビームを上記選択されたマイクロミラーを介して検出する光検出手段（例えば、PMT）６と、上記測定点選択手段３を上記高次回折光処理手段４と一体的に被測定物１の法線方向に変位させる変位手段７と、該変位手段７の変位を制御すると共に上記測定点選択手段３の変位量及び上記光検出手段６で検出された光の輝度データを互いに関連付けて出力する変位計制御回路１６とを有している。
【００６１】
さらに、上記制御手段１８は、上記変位計ユニット１７の測定点選択手段３の各マイクロミラーを個別に駆動制御し、上記変位手段７の変位を制御すると共に、上記変位計ユニット１７から出力された変位量及び光の輝度データから最大輝度値を示す変位量を被測定物の測定点の高さとして求める例えばホストコンピュータである。
【００６２】
また、対物レンズ５と変位計ユニット１７との間には、結像レンズ９が対物レンズ５の光軸に一致させて設けられており、対物レンズ５の焦点位置の像を図４に破線で示す結像位置Ｆに結像するようになっている。そして、上記対物レンズ５と結像レンズ９とは鏡筒１９内に組み込まれて顕微鏡を構成している。さらに、上記高次回折光処理手段４は、測定点選択手段３の像を所定位置に結像する所定の開口を有する集光レンズであり、例えば複数のレンズを組み合わせたリレーレンズである。
【００６３】
なお、図５において、符号１９は変位手段７を駆動するモータドライバであり、符号２０はモータドライバ１９を制御するモータコントローラであり、符号２１は、光ビームを反射する反射ミラーであり、符号２２は測定点選択手段３で反射される不要光を吸収する光吸収器であり、光源２と、測定点選択手段３と、高次回折光処理手段４と、光検出手段６と、変位計制御回路１６と共に変位計ユニット本体１７Ａ内に収納されている。また、本第２の実施形態においては、図４に示すように、変位手段７によって変位計ユニット本体１７Ａを矢印Ｃ，Ｄ方向に変位させるようになっている。
【００６４】
このように構成することにより、本第２の実施形態は、測定点の像が高次回折光処理手段４で測定点選択手段３上に再結像されるように変位計ユニット本体１７Ａを図４に示す矢印Ｃ，Ｄ方向に変位させ、上記測定点からの戻り光を測定点選択手段３の選択されたマイクロミラー介して光検出手段６で検出し、光検出手段６において最大輝度が得られたときの上記変位計ユニット本体１７Ａの変位量を上記測定点の基準位置に対する微小高さとして求める。
【００６５】
上記本第２の実施形態によれば、変位計ユニット本体１７Ａを変位させるようにしているので、対物レンズの焦点を被測定物上に合わせた状態で各測定点における微小高さを測定することができ、測定点を容易に指定することができる。また、上記第１の実施形態よりも、変位計ユニット本体１７Ａの変位量が対物レンズ５の倍率に応じて拡大され、微小高さの測定精度を向上することができる。
【００６６】
以下、上記第２の実施形態の動作及びそれを用いて行う微小高さ測定について図６を参照して詳細に説明する。なお、図６は、測定点をマニュアルにより指定して行う場合について示している。
先ず、図６に示すステップＳ１１において、対物レンズ５を介して取得した被測定物１上の像を上記顕微鏡の鏡筒１９に取り付けられた図示省略のオートフォーカス用カメラで撮像して対物レンズ５の焦点を被測定物１上に合わせる。
【００６７】
ステップＳ１２においては、オペレータがホストコンピュータからなる制御手段１８に予め入力して設定した変位計ユニット本体１７Ａの変位速度及び変位量データを取得するためのサンプリング間隔並びにそのサンプリング回数等の各種パラメータを変位計ユニット１７に入力してメモリ１１に保存する。
【００６８】
ステップＳ１３においては、予め測定して制御手段１８に保存された測定点の座標位置のうち、第１番目の測定点の座標データに基づいて例えば顕微鏡をＸＹ軸方向に移動し、第１番目の測定点を上記対物レンズ５の視野内に設定する。この場合、対物レンズ５を介して取得した被測定物１上の像を上記顕微鏡の鏡筒１９に取り付けられた図示省略の観察用カメラで撮像してこれを上記制御手段１８の表示部に表示する。なお、顕微鏡の移動は、オペレータが表示部に表示された像を観察しながら手動で行ってもよい。また、移動するのは顕微鏡側ではなくて被測定物１側であってもよい。
【００６９】
ここで、先ず、オペレータが表示部の画面上で制御手段１８に備えるマウスを使用して図７に示すカーソル２３を移動し、上記測定点の近傍部の平坦面を参照点として選択してマウスをクリックして指定する。次に、上記測定点にカーソル２３を合わせてマウスをクリックして測定点を指定する。これにより、制御手段１８から測定点選択手段３の上記参照点と測定点に対応するマイクロミラーを駆動するためのフレーム情報が作成されて変位計ユニット１７に出力される。なお、測定点が接近していて、例えば図７（ａ）に示すように同一視野内に複数点、例えば二つの測定点が観察されたときには、マウスで先ず参照点として任意に選択した平坦な面上の点Ｒをクリックし、次に測定点の点Ｐ１をクリックし、さらに点Ｐ２をクリックする。これにより、マウスのクリック指定により例えば点Ｒ，点Ｐ１，点Ｐ２のように測定順番が設定される。そして、上記フレーム情報は、制御及び処理部１２を介して測定点選択手段３に送られ、そこに備える図示省略のメモリに一旦保存される。
【００７０】
ステップＳ１４において、変位計ユニット１７の制御及び処理部１２は、オートフォーカスや被測定面を観察するために点灯していた図示省略の照明用光源をOFFすると共に測定用の光源２であるレーザ光源をONする。
【００７１】
ステップＳ１５においては、上記フレーム情報に基づいて測定点選択手段３が駆動されて、上記参照点Ｒ及び測定点Ｐ１，Ｐ２に対応する選択されたマイクロミラーが上記指定順番に従って光源２からの光ビームを被測定物１方向に反射するように傾けられる。これにより、光ビームは、上記参照点Ｒ及び測定点Ｐ１，Ｐ２に対応する各マイクロミラーで被測定物１方向に反射される。そして、その反射光は、それに含まれる高次回折光も高次回折光処理手段４に取り込まれて１点に集光して一体化され、その後、結像レンズ９及び対物レンズ５を介して上記各点Ｒ，Ｐ１，Ｐ２に順次照射する。
【００７２】
ステップＳ１６においては、制御及び処理部１２は、変位計制御回路１６のメモリ１１に保存された各種パラメータから、変位計ユニット本体１７Ａを変位させるための速度データとサンプリング間隔のデータを読み出してモータコントローラ２０に送る。モータコントローラ２０は、上記各データに基づいてモータドライバ１９をパルス制御して変位手段７を駆動し、変位計ユニット本体１７Ａを所定量だけ変位させる。
【００７３】
変位計ユニット本体１７Ａが変位されると、制御及び処理部１２で生成された変換タイミング信号がＡ／Ｄ変換部１３に出力され、該Ａ／Ｄ変換部１３が所定時間だけ駆動される。このとき、制御及び処理部１２は、被測定物１の上記参照点Ｒ及び測定点Ｐ１，Ｐ２で反射されて戻る光ビームであって、上記選択されたマイクロミラーを介して光検出手段６で検出された光の各点Ｒ，Ｐ１，Ｐ２の輝度データを順次取り込む。そして、この時の変位計ユニット本体１７Ａの変位量のデータ及び光検出手段６で検出された上記各点Ｒ，Ｐ１，Ｐ２の輝度データを互いに関連付けてメモリ１１に保存する。
【００７４】
ステップＳ１７においては、予め設定されたサンプリング回数の測定が全て終了したか否かを制御及び処理部１２で判定する。ここで、未だ終了していないときには、“ＮＯ”判定となってステップＳ１６に戻り、変位計ユニット本体１７Ａをさらに所定量変位して上記各点における新たな変位量及び輝度データを順次取得する。一方、設定されたサンプリング回数の測定を全て終了すると、“ＹＥＳ”判定となってステップＳ１８に進む。なお、トータル変位量は、モータコントローラ２０の１パルス当りの変位計ユニット本体１７Ａの移動量が予め分かっている場合にはパルス数をカウントして検出することができる。
【００７５】
ステップＳ１８においては、被測定物１上に設定された全ての測定点に対する高さ測定が終了したか否かを制御及び処理部１２で判定する。ここで、未だ測定が終了していないときには、“ＮＯ”判定となってステップＳ１９に進み、光源２をOFFすると共に照明用光源をONする。そして、ステップＳ１６に戻り、顕微鏡を次の測定点に設定して上述と同様にして上記測定点の高さ測定を行う。一方、全ての測定点に対する測定が終了したときには、“ＹＥＳ”判定となってステップＳ２０に進む。
【００７６】
ステップＳ２０においては、参照点及び各測定点における測定データをメモリ１１から読み出して制御手段１８に送る。制御手段１８は、入力した参照点及び各測定点における測定データに基づいて各点の最大輝度値を示す変位量を各点における高さとして定める。そして、上記各測定点、例えば点Ｐ１，Ｐ２の高さを参照点Ｒの高さと比較して相対高さを算出し、図７（ｂ）に示すように表示部に各測定点に対応してその高さの値（例えば、＋0.3μm，＋0.1μm）を表示する。なお、表示方法は、上記方法に限られず、リスト表示等いかなる方法であってもよい。
【００７７】
なお、上述したような測定点をマニュアルにより指定して測定するものに限らず、測定点を自動的に指定して測定するようにしてもよい。この場合、図６のステップＳ１３において、制御手段１８で各測定点の測定順番を予め自動設定して保存しておく。次に、図８に示すように、例えば顕微鏡を移動して対物レンズ５の視野内に第１番目の測定点Ｐ１を引き込む。さらに、図示省力の観察用カメラによる取得画像を画像処理して画面中央と測定点Ｐ１との距離を測定し、同図（ｂ）に示すように同寸法だけ顕微鏡を微動して上記測定点Ｐ１を対物レンズ５の光軸に合致させて測定点を指定する。また、同図（ｃ）に示すように、測定点Ｐ１の近傍にて所定距離はなれた点を参照点として指定する。この場合、例えば予め測定して制御手段１８に保存されている測定点Ｐ１の測定データのうちからそのサイズ情報を得て、所定方向にそのサイズの何倍かはなれた点を参照点Ｒとして指定するようにしてもよい。このようにして、測定点Ｐ１と参照点Ｒが指定されると、測定点Ｐ１に対応した測定点選択手段３のマイクロミラーであって、上記対物レンズ５の光軸と合致したマイクロミラー及び上記参照点Ｒに対応したマイクロミラーを駆動するためのフレーム情報を制御手段１８で作成して変位計ユニット１７に出力する。以下、ステップ１４〜２０を実行すれば、被測定物１上の各測定点の微小高さを測定することができる。
【００７８】
また、上記第２の実施形態によれば、測定位置におけるプロファイルを測定することができる。その測定は、例えば図９（ａ）に示すように、先ず観察用カメラの取得画像により測定点Ｐ１の位置を確認し、マウスでプロファイルを測定する位置を指定してそれを画面上に表示する。次に、同図（ｂ）に示すようにプロファイル測定位置に対応する測定点選択手段３のマイクロミラーを傾けて光ビームをプロファイル測定位置に照射して測定位置を確認した後、観察用の照明光源をOFFして変位計ユニット１７を所定のステップで変位させながら上記測定位置上の各測定点おける反射光の輝度を測定する。そして、各点における最大輝度値及び変位量データに基づいて各点の高さを算出する。これにより、同図（ｃ）に示すように指定された測定位置におけるプロファイルが測定され、その結果が表示画面上に表示される。
【００７９】
なお、以上の説明においては、光源２が一つのレーザ光源の場合について述べたが、これに限られず、光源２は波長の異なる複数のレーザ光源であってもよく、それらを切換スイッチで切り換えて使用してもよい。被測定物の測定点における下地の色に応じてレーザ光源の波長を選択するとよい。
【００８０】
また、光検出手段６はＰＭＴに限らず、ＣＣＤやＣＭＯＳの撮像素子であってもよく、それらを切換スイッチで切り換えて使用してもよい。この場合、ＰＭＴは、一点ずつの測定に限られるが、光の検出感度が高いため測定精度を向上することができる。一方、撮像素子は検出感度が低いものの同時に多点の測定が可能であるため測定速度を向上することができる。
【００８１】
さらに、光検出手段６としてＣＣＤやＣＭＯＳ等の二次元撮像素子を使用した場合には、被測定物の三次元形状を測定することができる。その測定は、図１０（ａ）に示すような観察用カメラの観察範囲に対応して同図（ｂ）に示すように測定点選択手段３のマイクロミラー１０(1,1)〜１０(m,n)が設けられているとき、図１１（ａ）に黒く塗りつぶして示すようにマイクロミラーを例えば二枚おきに傾けて光源２からの光ビームを図５に実線で示すように被測定物１に向けて反射し、被測定物１からの反射光を同じマイクロミラーで同図に破線で示すように反射し、二次元撮像素子からなる光検出手段６でその反射光を検出して二次元画像の輝度データを取得する。以下、図１１（ｂ）に拡大して示すようにマイクロミラー１０(1,1)〜１０(m,n)を、例えば同図に数字を付して示す順番に傾けて九枚の二次元画像を取得し、各二次元画像の輝度データを取得する。なお、他の部分のマイクロミラーも図１１（ｂ）に示す順番で傾けられる。
【００８２】
次に、変位計ユニット本体１７Ａを所定方向に所定量変位させて、上述と同様にして九枚の二次元画像を取得して各二次元画像の輝度データを取得する。以下、これを繰り返して被測定物１の高さ方向の二次元画像の輝度データを全て取り終えると、各マイクロミラーに対応する被測定物１上の各測定点の最大輝度値を示す変位量を制御手段１８で算出してそれを各測定点の高さとして求める。そして、その結果を制御手段１８の表示部に表示させることにより、被測定物１の三次元形状を表すことができる。なお、被測定物１上の隣接する測定点からの反射光がマイクロミラー上で干渉するのを避けるためには、同時に傾けるマイクロミラー１０(1,1)〜１０(m,n)は少なくとも一枚おきとするのがよく、好ましくはマイクロミラーが15μm×15μmの場合には、15μm×４（枚）＝60μm以上離れているのがよい。これにより、光の干渉を回避して高さ測定を高精度に行うことができる。
【００８３】
図１２は、本発明による微小高さ測定装置の第３の実施形態を示す正面図である。この微小高さ測定装置は、光ビームを放射する光源２と、該光源２からの光ビームが被測定物１方向に反射するように個別に傾く複数のマイクロミラーをマトリクス状に配列した測定点選択手段３と、該測定点選択手段３により被測定物１方向に反射された光ビームに含まれる高次回折光を処理する高次回折光処理手段４と、上記測定点選択手段３で反射され、高次回折光が除去された光ビームを被測定物１上に集光する対物レンズ５と、上記測定点選択手段３の複数のマイクロミラーのうち選択されたマイクロミラーで反射されて被測定物１上に指定された測定点Ｐに集光し、そこで反射されて戻る光ビームを上記選択されたマイクロミラーを介して検出する光検出手段６と、上記高次回折光処理手段４を同図に矢印Ａ，Ｂで示すように上記対物レンズ５の光軸方向に変位させると共にその変位量を検出して出力する変位手段７と、上記測定点選択手段３の各マイクロミラーを駆動制御し、上記変位手段７の変位を制御すると共に、上記光検出手段６で検出された光の輝度及び上記変位手段より入力した変位量のデータから最大輝度値を示す変位量を被測定物１の測定点Ｐの高さとして求める制御手段８と、を備えたものである。また、高次回折光処理手段４と対物レンズ５との間には結像レンズ９が配設され、対物レンズ５の焦点位置の像を高次回折光処理手段４の被測定物１側の結像位置Ｆに結像させるようになっている。
【００８４】
この場合、上記高次回折光処理手段４は、対物レンズ５の焦点位置と共役の関係にある結像位置Ｆに測定点選択手段３の像を結像する所定の開口を有する集光レンズであり、例えば複数のレンズを組み合わせて構成したリレーレンズである。
【００８５】
このような構成により、先ず被測定物１の任意の測定点が図示省略の観察用カメラで撮像されて対物レンズ５の焦点位置に位置付けられ、そのまま保持される。次に、被測定物１上に指定された測定点Ｐに対応する測定点選択手段３のマイクロミラーが傾けられて、光源２から放射された光ビームを被測定物１方向に反射する。そして、高次回折光処理手段４で、測定点選択手段３のマイクロミラーで反射された光ビームに含まれる高次回折光をも取り込んで１点に集光して一体化し、その後、結像レンズ９及び対物レンズ５を介して被測定物１の上記測定点Ｐに照射する。
【００８６】
上記測定点Ｐで反射されて戻る光ビームは、結像レンズ９によって結像位置Ｆ近傍に集光する。このとき、高次回折光処理手段４を図１２に示す矢印Ａ又はＢ方向に変位させ、測定点選択手段３を介して受光される光の最大輝度値を光検出手段６で検出する。そして、光検出手段６が最大輝度値を示す高次回折光処理手段４の変位量を上記測定点Ｐの所定の基準位置からの高さとして求める。
【００８７】
この場合、上記最大輝度値が得られる高次回折光処理手段４の位置は、結像レンズ９によって結像された測定点Ｐの像が高次回折光処理手段４によって測定点選択手段３上に再結像される位置である。従って、測定点Ｐが対物レンズ５の焦点位置に対してその光軸方向にずれている場合には、結像レンズ９による測定点Ｐの結像位置も図１２に示す結像位置Ｆに対して光軸方向にずれる。その結果、測定点Ｐの像を測定点選択手段３上に再結像させる高次回折光処理手段４の位置が測定点Ｐの位置によって光軸方向に変位することとなる。
【００８８】
次に、被測定物１は、前述の状態に保持したまま測定点選択手段３のマイクロミラーを切り換えて駆動し、参照点を選択する。そして、上述と同様にして、高次回折光処理手段４を図１２に示す矢印Ａ又はＢ方向に移動し、光検出手段６が最大輝度値を示す高次回折光処理手段４の変位量を検出する。そして、この変位量を上記参照点の所定の基準位置からの高さとして求める。この場合、上記測定点Ｐと参照点との各高さを比較すれば、参照点に対する測定点Ｐの相対高さを求めることができる。
【００８９】
なお、上記各実施形態において、高次回折光処理手段４が集光レンズの場合について説明したが、これに限られず、高次回折光処理手段４は所定の開口部を有する遮光板であってもよい。これにより、測定点選択手段３で反射された光ビームに含まれる高次回折光が上記遮光板によって除去され、上記開口部を通過した０次光のみが被測定物１に集光することとなる。従って、被測定物１上に高次回折光による複数の輝点が発生するのを防止することができる。この場合、上記第１及び第２の実施形態においては、結像レンズ９は、対物レンズ５の焦点位置の像を測定点選択手段３のマイクロミラー上に結像するように配置するとよい。また、上記第３の実施形態においては、上記遮光板は、測定点選択手段３の複数のマイクロミラーに対応して所定の開口を有する複数のピンホールをマトリクス状に形成したものとし、図１２に示す結像位置Ｆ近傍に配設して矢印Ａ，Ｂ方向に変位できるようにするとよい。
【図面の簡単な説明】
【００９０】
【図１】本発明による微小高さ測定装置の第１の実施形態を示す概念図である。
【図２】上記微小高さ測定装置の制御手段の構成を示すブロック図である。
【図３】本発明による微小高さ測定装置の動作及びそれを用いて実施する微小高さの測定について説明するフローチャートである。
【図４】本発明による微小高さ測定装置の第２の実施形態を示す正面図である。
【図５】上記第２の実施形態の変位計ユニットの構成を示すブロック図である。
【図６】上記第２の実施形態の動作及びそれを用いて測定点をマニュアル設定して行う微小高さの測定について説明するフローチャートである。
【図７】上記測定点のマニュアル設定について示す説明図である。
【図８】上記測定点の自動設定について示す説明図である。
【図９】指定した測定位置における微小高さのプロファイルの測定について示す説明図である。
【図１０】観察用カメラによる被測定物上の撮像画像の例と、その観察範囲に対応して設けられた測定点選択手段のマイクロミラーの配列例を示す平面図である。
【図１１】上記測定点選択手段において同時に傾けるマイクロミラーの一例を示す説明図である。
【図１２】本発明による微小高さ測定装置の第３の実施形態を示す概念図である。
【符号の説明】
【００９１】
１…被測定物
２…光源
３…測定点選択手段
４…高次回折光処理手段
５…対物レンズ
６…光検出手段
７…変位手段
８，１８…制御手段
１０(1,1)〜１０(m,n)，１０(1,i)…マイクロミラー
１１…光分岐手段
１６…変位計制御回路
１７…変位計ユニット
【図１】
0004725967.tif 000002
【図２】
0004725967.tif 000003
【図３】
0004725967.tif 000004
【図４】
0004725967.tif 000005
【図５】
0004725967.tif 000006
【図６】
0004725967.tif 000007
【図７】
0004725967.tif 000008
【図８】
0004725967.tif 000009
【図９】
0004725967.tif 000010
【図１０】
0004725967.tif 000011
【図１１】
0004725967.tif 000012
【図１２】
0004725967.tif 000013